(57)【要約】【課題】三角形のピースは上下逆に、四角形のピースは斜めに、といった具合に構成ピースを意外な形態で積み上げることができ、子どもの知育の発達に有用な積み木セットを得る。【解決手段】上面１１にＶ溝１２を有する正六面体形状の溝付き正六面体ピース１と、三角形のピース６とを備えている。三角形のピース６の直角の角部６３を前記Ｖ溝１２に嵌合することで、溝付き正六面体ピース１の上面１１に対して、三角形ピース６は、倒立姿勢に積み上げることができる。【選択図】　　　　図１１
0003097963.tif 000002
【実用新案登録請求の範囲】
【請求項１】
外周面が四角形または円形のピース本体（１０、２０、３０、４０、５０）の上下面が平行な平坦面に形成されて、少なくとも上面の左右方向中央部位に、直角二等辺三角形のＶ溝（１２、２３、３３、４３、５３）が前後方向にわたって刻設された第１種のピースと、
ピース本体の少なくとも一つの角部が、前記Ｖ溝に嵌合し得る直角に形成された第２種のピースとを含む積み木セット。
【請求項２】
第２種のピースとして、ピース本体６０の前後面６１・６２が直角二等辺三角形に形成されていて、所定の前後厚みを有する三角形ピース６と、
正六面体形状の正六面体ピース７とを備えている請求項１記載の積み木セット。
【請求項３】
請求項２記載の第２種のピースに加えて、
ピース本体８０の前後面８１・８２が直角二等辺三角形に形成されて所定の前後厚みを有し、直角に交わる斜面８４・８４どうしをつなぐ底面８５の左右方向中央部位に、直角二等辺三角形の凹み８３が前後厚み方向にわたって設けられている凹み付き三角形ピース８を備えている請求項１記載の積み木セット。
【請求項４】
請求項２記載の第２種のピースと、請求項３記載の凹み付き三角形ピース８とに加えて、
ピース本体９０の前後面９１・９２が半円形に形成されて所定の前後厚みを有し、ピース本体９０の湾曲した上面９４の左右方向中央部位に、直角二等辺三角形のＶ溝９３が前後厚み方向にわたって刻設され、ピース本体９０の平坦な底面９５の左右方向中央部位に半円形の凹み９６が前後厚み方向にわたって設けられている凹み付き半円形ピース９を備えている請求項１記載の積み木セット。
【請求項５】
第１種のピースと、第２種のピースと、第３のピースとを有し、
第１種のピースは、外周面が四角形のピース本体（１０、２０、３０）の上下面が平行な平坦面に形成されて、上面の左右方向中央部位に直角二等辺三角形のＶ溝（１２、２３、３３）が前後厚み方向にわたって刻設された四角柱形ピース１、２、３と、外周面が円形のピース本体４０の上下面４１・４２が平行な平坦面に形成されて、上面４１の左右方向中央部位に直角二等辺三角形のＶ溝４３が前後方向にわたって刻設された円柱形ピース４とを含み、
第２種のピースは、ピース本体６０の前後面６１・６２が直角二等辺三角形に形成されて、所定の前後厚みを有する三角形ピース６と、正六面体形状の正六面体ピース７とを含み、
第３のピースは、ピース本体８０の前後面８１・８２が直角二等辺三角形に形成されて所定の前後厚みを有し、直角に交わる斜面８４・８４どうしをつなぐ底面８５の左右方向中央部位に、直角二等辺三角形の凹み８３が前後厚み方向にわたって設けられている凹み付き三角形ピース８と、
ピース本体９０の前後面９１・９２が半円形に形成されて所定の前後厚みを有し、ピース本体９０の湾曲した上面９４の左右方向中央部位に、直角二等辺三角形のＶ溝９３が前後厚み方向にわたって刻設され、ピース本体９０の平坦な底面９５の左右方向中央部位に半円形の凹み９６が前後厚み方向にわたって設けられている凹み付き半円形ピース９とを含む積み木セット。
【考案の詳細な説明】
【０００１】
【考案の属する技術分野】
本考案は、子どもの知育の発達や、障害者の手指のリハビリなどにも好適な積み木セットに関する。
【０００２】
【従来の技術】
従来の積み木玩具では、各種形状の木片が存在するが、単に木片を下から上へ積み重ねるに過ぎず、例えば水平面上に三角形ピースを倒立状態で積める訳ではない。
【０００３】
【考案が解決しようとする課題】
そのため、従来の積み木では、多種多数の木片で家屋や乗り物などの各種の形をつくることはできても、少数の木片で多様な発想のもとに奇抜な形をつくり出す、つまり想像力に刺激を与える点でなお問題があった。
【０００４】
本考案の目的は、積み木を従来なかった複雑な形状にも積み上げることができるようにして、子どもの知育や老人の痴呆症の予防などを図るに有用な積み木セットを得ることにある。
【０００５】
【課題を解決するための手段】
本考案の積み木セットは、第１種のピースと、第２種のピースと、第３のピースとを含む。
【０００６】
第１種のピースは、図２ないし図６に示すごとく、外周面が四角形または円形のピース本体（１０、２０、３０、４０、５０）の上下面が平行な平坦面に形成されて、少なくとも上面（１１、２１、３１、４１、５１）の左右方向中央部位に、直角二等辺三角形のＶ溝（１２、２３、３３、４３、５３）が前後厚み方向にわたって刻設されている。ここでのピース本体は四角柱、四角筒、円柱、円筒のいずれかである。Ｖ溝は一つの上面に２本を交差して設けることができる。
【０００７】
第２種のピースは、図７および図８に示すごとく、ピース本体の少なくとも一つの角部が、前記Ｖ溝（１２、２３、３３、４３、５３）に嵌合し得る直角に形成されている。第２種のピースの具体例としては、ピース本体６０の前後面６１・６２が直角二等辺三角形に形成されて所定の前後厚みを有する三角形ピース６と、正六面体形状の正六面体ピース７とがある。
【０００８】
第１種のピースおよび第２種のピースに対する第３のピースは、図９に示すごとく、ピース本体８０の前後面８１・８２が直角二等辺三角形に形成されて所定の前後厚みを有し、ピース本体８０の直角に交わる斜面８４・８４どうしをつなぐ底面８５の左右方向中央部位に、直角二等辺三角形の凹み８３が前後厚み方向にわたって設けられている凹み付き三角形ピース８と、図１０に示すごとく、ピース本体９０の前後面９１・９２が半円形に形成されて所定の前後厚みを有し、ピース本体９０の湾曲した上面９４の左右方向中央部位に、直角二等辺三角形のＶ溝９３が前後厚み方向にわたって刻設され、ピース本体９０の平坦な底面９５の左右方向中央部位に半円形の凹み９６が前後厚み方向にわたって設けられている凹み付き半円形ピース９とがある。
【０００９】
【考案の作用効果】
本考案の積み木セットは、Ｖ溝を有する第１種のピースと、このＶ溝に嵌合可能な直角の角部を有する第２種のピースとを含むことで、水平な平坦面上に平坦面を置く従来の積み上げ方だけでなく、角部を下向きに積み、または上向きの角部に他のピースを積むなど、多彩な積み上げ方が可能になる。各ピースの平衡を保ってこれらを積み上げることにより、子どもの想像力を刺激し、逆転発想の思考力を発達させることができる。また障害者の手指のリハビリや老人の痴呆症の予防などにも有効である。さらに、大人に対しては自在に変形できるオブジェとして楽しませることができる。
【００１０】
第２種のピースとして、三角形ピース６と正六面体ピース７とを用い、これらを第１種のピースと組み合わせることにより、三角形ピース６と正六面体ピース７という通常の積み木の形状が、従来なしえなかった角度に安定する構造をつくることができる。
【００１１】
第１種のピースと第２種のピースの他に、凹み付き三角形ピース８を備えることにより、凹み付き三角形ピース８の直角の角部８６を第１種のピースのＶ溝に嵌合することができるし、また、凹み付き三角形ピース８の凹み８３に直角の角部を有する他の第２種のピースなどを嵌合することができる。
【００１２】
第１種のピース、第２種のピースおよび凹み付き三角形ピース８の他に、凹み付き半円形ピース９を備えることにより、凹み付き半円形ピース９の上面９４のＶ溝９３に、直角の角部を有する他の第２種のピースや凹み付き三角形ピース８などを嵌合することができる。
【００１３】
【実施例】
図２ないし図１０は、本考案に係る積み木セットの実施例を示しており、第１種のピースと、第２種のピースと、第３のピースとを含む。各ピースは、杉や檜などの木材で作成される。後述する各々のピースは、組み合わせのパターンを増やすためにそれぞれ少なくとも２個ずつ有する。
【００１４】
第１種のピースとして、溝付き正六面体ピース１を有する。この溝付き正六面体ピース１は、図２に示すごとく、正六面体に形成されたピース本体１０の上面１１の左右方向中央部位に、直角二等辺三角形のＶ溝１２が前後厚み方向にわたって刻設されている。このピース本体１０の一辺は３５ｍｍである。
【００１５】
第１種のピースとして、別に縦長の四角柱形の直方体ピース２を有する。この縦長の直方体ピース２は、図３に示すごとく、ピース本体２０の上下面２１・２２が平行な正方形の平坦面に形成され、上面２１の左右方向中央部位に、直角二等辺三角形のＶ溝２３が前後厚み方向にわたって刻設されている。このピース本体２０の上下面２１・２２の一辺は３５ｍｍ、高さは７０ｍｍである。
【００１６】
第１種のピースとして、さらに前後方向に長い直方体ピース３を有する。この直方体ピース３は、図４に示すごとく、ピース本体３０の上下面３１・３２が前後方向に長い平行な長方形の平坦面に形成され、上面３１の左右方向中央部位に、直角二等辺三角形のＶ溝３３が前後厚み方向にわたって刻設されている。このピース本体３０の上下面３１・３２の短辺は３５ｍｍ、長辺は７０ｍｍ、高さは３５ｍｍである。
【００１７】
また、第１種のピースとして、円柱ピース４を有する。この円柱ピース４は、図５に示すごとく、ピース本体４０の上下面４１・４２が平行な円形の平坦面に形成され、上面４１の左右方向中央部位に、直角二等辺三角形のＶ溝４３が前後方向にわたって刻設されている。このピース本体４０の上下面４１・４２の直径は３５ｍｍ、高さは７０ｍｍである。
【００１８】
第１種のピースとして、円筒ピース５を有する。この円筒ピース５は、図６に示すごとく、中空円筒状を呈するピース本体５０の上下面５１・５２が平行な円形の平坦面に形成され、上面５１にはこれの中心を通る２本の直角二等辺三角形のＶ溝５３が直交状に刻設されている。ピース本体５０の上下面５１・５２の内径は３６ｍｍ、外径は７０ｍｍ、高さは３５ｍｍである。
【００１９】
第２種のピースとして、三角形ピース６を有する。この三角形ピース６は、図７に示すごとく、ピース本体６０の前後面６１・６２が平行な直角二等辺三角形に形成されて、所定の前後厚みを有し、直角のひとつの角部６３を備えている。ピース本体６０の前後面６１・６２の等しい二辺はそれぞれ７０ｍｍ、前後厚みは３５ｍｍである。
【００２０】
第２種のピースとして、正六面体ピース７を有する。この正六面体ピース７は、図８に示すごとく、一辺が３５ｍｍに設定された正六面体であり、１２の角部７１を有する。
【００２１】
第３のピースとして、凹み付き三角形ピース８を有する。この凹み付き三角形ピース８は、図９に示すごとく、ピース本体８０の前後面８１・８２が直角二等辺三角形に形成されて、所定の前後厚みを有し、上端が直角に交わる斜面８４・８４どうしをつなぐ底面８５の左右方向中央部位に、直角二等辺三角形の凹み８３が前後厚み方向にわたって設けられている。ピース本体８０の前後面８１・８２の等しい二辺はそれぞれ７０ｍｍ、凹み８３の等しい二辺はそれぞれ３６ｍｍ、前後厚みは３５ｍｍである。
【００２２】
第３のピースとして、凹み付き半円形ピース９を有する。この凹み付き半円形ピース９は、図１０に示すごとく、ピース本体９０の前後面９１・９２が平行な半円形状の平坦面に形成されて、所定の前後厚みを有し、半円形のアーチ状に湾曲したピース本体９０の上面９４の左右方向中央部位に、直角二等辺三角形のＶ溝９３が前後厚み方向にわたって刻設され、平坦な底面９５の左右方向中央部位に半円形の凹み９６が前後厚み方向にわたって設けられている。ピース本体９０の底面９５における左右幅寸法は７０ｍｍ、前後厚みは３５ｍｍである。凹み９６の左右開口幅寸法は３６ｍｍである。
【００２３】
なお、前記Ｖ溝１２、２３、３３、４３、５３、９３は、図１に示すごとく、溝底が直角で、深さＬが６ｍｍである。
【００２４】
（第１使用例）　図１および図１１に示すごとく、第１種の溝付き正六面体ピース１を床や机などの水平面に置いたのち、第２種の三角形ピース６の天地を逆にして、バランスを保ちながら、溝付き正六面体ピース１のＶ溝１２に三角形ピース６の角部６３を嵌合する。これによって、溝付き正六面体ピース１の上面１１に対して、三角形ピース６は、これの角部６３を下向きにした倒立姿勢で積み上げることができる。
【００２５】
（第２使用例）　図１２に示すごとく、第１種の図４に示す前後に長い直方体ピース３のＶ溝３３の前半分に正六面体ピース７のひとつの角部７１を、Ｖ溝３３の後ろ半分に三角形ピース６の角部６３を嵌合できる。正六面体ピース７は、溝付き正六面体ピース１であってもよい。
【００２６】
（第３使用例）　図１３に示すごとく、第１種の縦長の直方体ピース２のＶ溝２３に、第１種の溝付き正六面体ピース１または第２種の正六面体ピース７のバランスを保ちながら、正六面体ピース１（７）のひとつの角部１３（７１）を嵌合する。これによって、縦長の直方体ピース２に正六面体ピース１（７）を、これの前後面が水平面に対し４５°の角度で傾くよう積み上げることができる。
【００２７】
（第４使用例）　図１４に示すごとく、第３使用例のあとさらに、積み上げられた正六面体ピース１（７）の上側に位置する角部１３（７１）に、全体のバランスを保ちながら、第３のピースである凹み付き半円形ピース９のＶ溝９３を嵌合する。これによって、より高度な平衡感覚を要する構造体に積み上げることができる。
【００２８】
（第５使用例）　図１５に示すごとく、第１種の円柱ピース４上において、凹み付き三角形ピース８の天地を逆に置き、該ピース８の下向きとなった直角の角部８６を円柱ピース４のＶ溝４３に嵌合する。そのあと、全体のバランスを保ちながら、円筒ピース５の外周側面を凹み付き三角形ピース８の凹み８３に上方から嵌めて乗せる。これによって、さらにより高度な平衡感覚を要する構造体に積み上げることができる。
【００２９】
前記の使用例の他、第１種のピースと、一つ以上の直角の角部を有する第２種のピースとを適宜組み合わせて、様々にバランスを保ちながら積み上げることができる。そこでは、少なくとも一つのＶ溝と一つの直角の角部とが嵌合していればよく、構造体のパターンは無数に考えられる。ピースを積み上げる際のバランスは、Ｖ溝の深さＬを深くすれば取りやすく、浅くすれば取りにくくなる。
【００３０】
本考案の積み木セットにおいては、第１種のピース、第２種のピース、および第３のピースの数と種類とはそれぞれ任意に選択できる。また各ピースは、プラスチック、コルク、スポンジなど任意の素材で作成することができる。
【図面の簡単な説明】
【図１】本考案に係る積み木セットのピースの原理を説明する要部の縦断正面図
【図２】第１種のピースに属する溝付き正六面体ピースの斜視図
【図３】第１種のピースに属する縦長の直方体ピースの斜視図
【図４】第１種のピースに属する前後に長い直方体ピースの斜視図
【図５】第１種のピースに属する円柱ピースの斜視図
【図６】第１種のピースに属する円筒ピースの斜視図
【図７】第２種のピースに属する三角形ピースの斜視図
【図８】第２種のピースに属する正六面体ピースの斜視図
【図９】凹み付き三角形ピースの斜視図
【図１０】凹み付き半円形ピースの斜視図
【図１１】第１使用例を示す正面図
【図１２】第２使用例を示す斜視図
【図１３】第３使用例を示す正面図
【図１４】第４使用例を示す正面図
【図１５】第５使用例を示す正面図
【符号の説明】
１　溝付き正六面体ピース
２　縦長の直方体ピース
３　前後に長い直方体ピース
４　円柱ピース
５　円筒ピース
６　三角形ピース
７　正六面体ピース
８　凹み付き三角形ピース
９　凹み付き半円形ピース
【図１】
0003097963.tif 000003
【図２】
0003097963.tif 000004
【図３】
0003097963.tif 000005
【図４】
0003097963.tif 000006
【図５】
0003097963.tif 000007
【図６】
0003097963.tif 000008
【図７】
0003097963.tif 000009
【図８】
0003097963.tif 000010
【図９】
0003097963.tif 000011
【図１０】
0003097963.tif 000012
【図１１】
0003097963.tif 000013
【図１２】
0003097963.tif 000014
【図１３】
0003097963.tif 000015
【図１４】
0003097963.tif 000016
【図１５】
0003097963.tif 000017